(57)【要約】【課題】本発明は、極めて商品価値の高い画期的な学習用補助具を提供することを目的とする。【解決手段】起立状態の形状が夫々異なり折り畳み重合可能に設けられた複数の立体１と、この各立体１を折り畳み重合した薄板状のものを区分け収納する複数の立体収納部２ａが設けられた収納体２とから成るものである。【選択図】図１
2012230353.tif 000002
【特許請求の範囲】
【請求項１】
起立状態の形状が夫々異なり折り畳み重合可能に設けられた複数の立体と、この各立体を折り畳み重合した薄板状のものを区分け収納する複数の立体収納部が設けられた収納体とから成ることを特徴とする学習用補助具。
【請求項２】
請求項１記載の学習用補助具において、前記立体収納部同士は積層状態に設けられており、前記各立体収納部には、収納する前記立体を表示する表示部が設けられていることを特徴とする学習用補助具。
【請求項３】
請求項１，２いずれか１項に記載の学習用補助具において、前記立体は紙製であり、表面には合成樹脂製のコーティング層が設けられていることを特徴とする学習用補助具。
【請求項４】
請求項１〜３いずれか１項に記載の学習用補助具において、前記立体には被着磁体に着磁する磁性体が設けられていることを特徴とする学習用補助具。
【請求項５】
請求項１〜４いずれか１項に記載の学習用補助具において、前記立体は、複数の面状体同士を折り曲げ部を介して連設して成るものであることを特徴とする学習用補助具。
【請求項６】
請求項５記載の学習用補助具において、前記折り曲げ部を折り曲げて前記立体を立体状態とした際、互いに接する前記面状体の縁部同士を着磁構造により接合可能に設けたことを特徴とする学習用補助具。
【請求項７】
請求項５，６いずれか１項に記載の学習用補助具において、前記面状体のうち少なくとも一つの面状体には折り畳み重合用折り曲げ部が設けられていることを特徴とする学習用補助具。
【発明の詳細な説明】
【技術分野】
【０００１】
本発明は、例えば立体を手軽に手に持って学ぶことができる学習用補助具に関するものである。
【背景技術】
【０００２】
例えば四角錐や三角錐などの立体を学ぶ場合、単に平面上に描かれた図形を見て立体をイメージするだけでなく、実際に立体として形成されたものを手に持って体感するとより良いとされる。
【発明の概要】
【発明が解決しようとする課題】
【０００３】
ところで、従来から提案される立体は、木材を切削形成したものや合成樹脂材で成形したものであるが、これら複数の立体を保管する場合や持ち運ぶ場合、内部に各立体の形状に合致した凹部を有するケースに収納したり、或いは、一つの袋に無造作に入れたりしている。
【０００４】
従って、これら立体自体、非常にかさばるのは勿論、立体をケースや袋などの収納体に入れた収納状態も非常にかさばる為、保管したり持ち運んだりするのが非常に厄介であり、しかも、立体を収納体から出し入れするのも煩わしく、立体を手軽に学ぶことができていない。
【０００５】
本発明者は、前述したような問題点に着目し、極めて商品価値の高い画期的な学習用補助具を開発した。
【課題を解決するための手段】
【０００６】
添付図面を参照して本発明の要旨を説明する。
【０００７】
起立状態の形状が夫々異なり折り畳み重合可能に設けられた複数の立体１と、この各立体１を折り畳み重合した薄板状のものを区分け収納する複数の立体収納部２ａが設けられた収納体２とから成ることを特徴とする学習用補助具に係るものである。
【０００８】
また、請求項１記載の学習用補助具において、前記立体収納部２ａ同士は積層状態に設けられており、前記各立体収納部２ａには、収納する前記立体１を表示する表示部３が設けられていることを特徴とする学習用補助具に係るものである。
【０００９】
また、請求項１，２いずれか１項に記載の学習用補助具において、前記立体１は紙製であり、表面には合成樹脂製のコーティング層が設けられていることを特徴とする学習用補助具に係るものである。
【００１０】
また、請求項１〜３いずれか１項に記載の学習用補助具において、前記立体１には被着磁体に着磁する磁性体４が設けられていることを特徴とする学習用補助具に係るものである。
【００１１】
また、請求項１〜４いずれか１項に記載の学習用補助具において、前記立体１は、複数の面状体１Ａ同士を折り曲げ部１ａを介して連設して成るものであることを特徴とする学習用補助具に係るものである。
【００１２】
また、請求項５記載の学習用補助具において、前記折り曲げ部１ａを折り曲げて前記立体１を立体状態とした際、互いに接する前記面状体１Ａの縁部１ａ'同士を着磁構造８により接合可能に設けたことを特徴とする学習用補助具に係るものである。
【００１３】
また、請求項５，６いずれか１項に記載の学習用補助具において、前記面状体１Ａのうち少なくとも一つの面状体１Ａには折り畳み重合用折り曲げ部１ａ”が設けられていることを特徴とする学習用補助具に係るものである。
【発明の効果】
【００１４】
本発明は上述のように構成したから、前述した従来から提案されるものと異なり、立体を収納体から手軽に取り出して手に持って学ぶことができ、しかも、コンパクトに折り畳んだ立体を収納体に対して簡易且つ整然と収納することができ、保管したり持ち運んだりすることが楽に行えるなど、極めて商品価値の高い画期的な学習用補助具となる。
【図面の簡単な説明】
【００１５】
【図１】実施例１の使用状態を示す斜視図である。
【図２】実施例１の使用状態を示す斜視図である。
【図３】実施例１に係る立体の製造方法を示す斜視図である。
【図４】実施例１に係る立体の動作説明図である。
【図５】実施例１に係る立体の動作説明図である。
【図６】実施例１に係る立体の使用状態説明図である。
【図７】実施例１に係る立体の説明断面図である。
【図８】実施例１に係る立体の使用状態説明図である。
【図９】実施例２に係る立体の説明図である。
【図１０】実施例２に係る立体の説明図である。
【図１１】実施例２に係る立体の説明断面図である。
【図１２】実施例２に係る立体の説明図である。
【図１３】実施例２に係る立体の説明断面図である。
【発明を実施するための形態】
【００１６】
好適と考える本発明の実施形態を、図面に基づいて本発明の作用を示して簡単に説明する。
【００１７】
折り畳み重合状態の立体１を収納体２の立体収納部２ａから取り出し、この立体１を起立状態として、手に持って触ったり鑑賞したりして体感することができる。
【００１８】
従って、前述した従来から提案されるものと異なり、収納体２の立体収納部２ａに収納された立体１の出し入れが薄板状のものの出し入れの為、極めて簡易に行えるため、手軽に立体１に接することができ、教材として最適なものとなる。
【００１９】
また、本発明は、起立状態の形状が夫々異なる複数の立体１と、この各立体１を折り畳み重合した薄板状のものを区分け収納する複数の立体収納部２ａが設けられた収納体２とから成り、様々な形状の立体１を手に持って学ぶことができ、しかも、各立体１を収納体２に収納する際には、起立状態の各立体１を折り畳み重合状態として薄板状とし、この折り畳み重合状態とした薄板状の各立体１を収納体２の収納部２ａ夫々に整然と収納することができる。
【００２０】
従って、この立体１を使用しない場合には薄型コンパクトな収納状態が得られることになるから、例えば保管や持ち運びが楽に行えることになる。
【実施例１】
【００２１】
本発明の具体的な実施例１について図１〜８に基づいて説明する。
【００２２】
本実施例は、図１〜３に図示したように起立状態の形状が夫々異なり折り畳み重合可能に設けられた複数の立体１と、この各立体１を折り畳み重合した薄板状のものを区分け収納する複数の立体収納部２ａが設けられた収納体２とから成るものである。
【００２３】
この立体１は、図３，４に図示したように紙材を切り抜いた切り抜き体を展開状態から中空の起立状態（正六面体）となるように各部位を折り曲げて構成されたものである。
【００２４】
具体的には、立体１は、複数の面状体１Ａ同士をレーザー光で切削形成した直線状凹条から成る折り曲げ部１ａを介して連設して成るものであり、少なくとも一つの面状体１Ａには折り畳み重合用折り曲げ部１ａ”が設けられている。
【００２５】
本実施例は、複数（６つ）の面状体１Ａから成る正六面体であり、即ち、図３に図示したように折り畳み部１ａを介して連設する複数（５つ）の正方形の面状体１Ａと、２つの三角形状体を組み合わせて成る１つ正方形の面状体１Ａとから成り、展開状態から立体１として構成する際には、適宜な箇所に折り畳み自在に設けた重ね部１ｂを介して止着部材（両面テープや糊）を介して折り畳み自在に連設しており、正六面体の立体１として構成されている。
【００２６】
この重ね部１ｂを介して連設した部位も立体１として組み立てた後は折り曲げ部１ａとして機能し、また、図４に図示したように天部及び底部を構成する面状体１Ａには、レーザーで切削形成した直線状凹条から成る折り畳み重合用折り曲げ部１ａ”が設けられている。
【００２７】
従って、立体１は各折り畳み部１ａ及び折り畳み重合用折り曲げ部１ａ”を折り畳むことで中空の起立状態から薄板状の折り畳み重合状態となるように構成されている（図４，５参照）。
【００２８】
また、立体１は、一の面状体１Ａ（立体１の底面）の外面に磁性体４が設けられている。
【００２９】
この磁性体４は、シート状の磁石であり、金属薄板状の被着磁体としてのディスプレイ板５に着磁するためのものである。
【００３０】
従って、立体１は、ディスプレイ板５に対して磁性体４を介して着脱自在となり、また、この磁性体４がディスプレイ板５に着磁していることで、起立状態が維持されることになる（図６，７参照）。
【００３１】
尚、ディスプレイ板５に磁性体を設け、この磁性体が着磁する被着磁体を立体１に設けても良く、このディスプレイ板５に対する立体１の着脱構造を着磁構造に限らず、例えばループ部とフック部とから成る雌雄連結構造（面ファスナー）で構成しても良い。
【００３２】
また、本実施例では、立体１の底面となる面状体１Ａ（磁性体４が設けられる面状体１Ａ）に折り畳み重合用折り曲げ部１ａ”を設けている。
【００３３】
これはなるべく立体１の角部となる折り畳み部以外の折り目を見えにくくして体裁を良くするためのである。
【００３４】
また、立体１は、一の面状体１Ａと隣接する他の面状体Ａとの間に付勢体６（線状ゴム部材）が架設されており、折り曲げ部１ａ及び折り畳み重合用折り曲げ部１ａ”を折り曲げて立体１を立体状態とした際、互いに接する面状体１Ａの縁部１ａ”同士が接合するように常時付勢され、立体状態が保形されるように構成されている。
【００３５】
従って、立体１を薄板状の折り畳み重合状態から起立状態とした際、隣接する面状体１Ａ同士が内方に付勢され綺麗な立体３が得られることになる。
【００３６】
尚、立体３は正六面体に限らず、正多面体（正四面体，正八面体，正十二面体若しくは正二十面体）や柱状体（三角柱，四角柱，五角柱若しくは六角柱）や錐状体（三角錐，四角錐若しくは六角錐）でも良いなど、本実施例の特性を発揮する構成であれば適宜採用し得るものである。
【００３７】
本実施例では、立体１を紙製としており、この立体１の外側となる表面には、適宜な柔軟性を有する合成樹脂製部材での加工（例えばポリプロピレン加工）が施されてコーティング層が形成されている。
【００３８】
従って、このコーティング層により水分で濡れたりしても破損せず、度重なる使用にも耐え得るなど極めて耐久性に秀れることになり、例えば立体を強く触ることで該立体１を理解する幼児や視覚障害者などの使用にも十分耐え得る強度を具備することになる。
【００３９】
尚、立体１は、紙製に限らず、例えば合成樹脂など、薄く且つ曲げに強い素材であれば適宜採用し得るものである。
【００４０】
収納体２は、図１，２に図示したように適宜な合成樹脂製の部材で形成したものであり、起立状態の形状が夫々異なる複数の立体１を折り畳み状態で該立体１ごとに区分け収納する複数の立体収納部２ａ同士を積層状態（並設状態）に設けたフォルダータイプのものである。
【００４１】
具体的には、収納体２は、正面部２Ａ，底面部２Ｂ，左右側面部２Ｃ，２Ｄ及び背面部２Ｅで構成されて上部開口部を有するものであり、この背面部２Ｅの上端部には蓋部２Ｆが設けられ、この蓋部２Ｆの先端部を正面部２Ａに止着することで上部開口部は閉塞されるように構成されている。
【００４２】
また、左右側面部２Ｃ，２Ｄは、交互に折り返した蛇腹状に形成されており、左右対向する内側折り縁同士間に仕切り板２ｂが架設され、この仕切り板２ｂで仕切られた各空間が立体収納部２ａとして構成されている。
【００４３】
従って、立体収納部２ａは、前後方向の開口巾が可変自在に設けられており、正面部２Ａと背面部２Ｅを接離方向に移動させることで各立体収納部２ａの開口巾を広狭することができる。
【００４４】
また、立体収納部２ａには、収納する立体１の形状を表示する表示部３が設けられている。
【００４５】
この表示部３は、図１，２に図示したように仕切り板２ｂの上端所定位置に突片を設けて構成されており、この各表示部３には、各立体収納部２ａに収納する立体１の名称が記載されている。尚、この表示部３への立体１の表示は名称の記載に限らず、色や形状で表示するものであっても良い。
【００４６】
以下、本実施例の製造方法について説明する。
【００４７】
先ず、レーザー光を照射するレーザー照射装置（図示省略）に立体の設計図（展開図）を入力する。
【００４８】
続いて、この設計図に基づいてレーザー照射装置から照射されるレーザー光により、立体１の切り抜きを行う。また、各折り畳み部１ａ及び折り畳み重合用折り曲げ部１ａ”をレーザー光により形成する。重ね部１ｂは一体に形成しても別部材で形成しても良い。
【００４９】
尚、本実施例では、レーザー照射装置から所定巾のレーザー光を照射することで前述した切り抜き作業を行う構成であるが、例えば巾広のレーザー光を照射して型（マスク）を通過させることでレーザー光を所定巾（型に形成したスリット巾）とすることで、前述した切り抜き作業を行うようにしても良く、この場合より一層の量産性の向上が望める。
【００５０】
続いて、レーザー光の照射により切り抜かれた立体原型を、各折り畳み部１ａ及び折り畳み重合用折り曲げ部１ａ”を折り曲げたり、隣接する面状体１Ａ同士を止着部材で止着したりして立体１を組み立てる。
【００５１】
本実施例は上述のように構成したから、薄板状の折り畳み重合状態の立体１を収納体２から取り出し、この立体１を中空の起立状態として、手に持って触ったり鑑賞したりして体感することができる。
【００５２】
従って、収納体２の立体収納部２ａに収納された立体１の出し入れが薄板状のものの出し入れの為、極めて簡易に行えるため、手軽に立体１に接することができて教材として最適なものとなる。図８は被着磁体としての黒板７（垂直壁面）に立体１を着磁させて教材として使用している場合である。
【００５３】
また、本実施例は、互いに起立状態の立体形状が夫々異なる複数の立体１と、この各立体１を折り畳み重合した薄板状のものを区分け収納する複数の立体収納部２ａが設けられた収納体２とから成り、様々な形状の立体１を手に持って触ったり鑑賞することができ、しかも、各立体１を収納体２に収納する際には、起立状態の各立体１を折り畳み重合状態として薄板状とし、この折り畳み重合状態とした薄板状の各立体１を該立体１ごとに収納体２の収納部２ａ夫々に整然と収納することができる。
【００５４】
従って、この立体１を使用しない場合には薄型コンパクトな収納状態とすることができるから、例えば保管や持ち運び等が良好に行えることになる。
【００５５】
また、本実施例は、立体１の表面には合成樹脂製のコーティング層が形成されているから、極めて耐久性に秀れることになる。
【実施例２】
【００５６】
本発明の具体的な実施例２について図９〜１３に基づいて説明する。
【００５７】
本実施例は、複数の面状体１Ａ同士を折り曲げ部１ａを介して連設して成るものであり、折り曲げ部１ａ（及び折り畳み重合用折り曲げ部１ａ”）を折り曲げて立体１を立体状態とした際、互いに接する面状体１Ａの縁部１ａ'同士を着磁構造８により接合可能に設けた場合である。
【００５８】
具体的には、図９〜１３に図示したように折り畳み重合状態から立体状態とした際、互いに離反状態から接する面状体１Ａ夫々の縁部１ａ'同士のうち一方の縁部１ａ'に磁石体８ａ（ネオジューム磁石）を設け、この磁石体８ａが着脱自在に着磁する被着磁体８ｂ（着磁性を備えた薄板状のステンレス）を他方の縁部１ａ'に設けて着磁構造８を構成している。
【００５９】
従って、折り畳み重合状態から立体状態とした際、この着磁構造８による着磁作用により立体状態が保持されることになる。
【００６０】
また、本実施例では、前述した実施例１と異なり、隣接する面状体１Ａ同士を付勢する付勢体６は設けていない。
【００６１】
具体的には、付勢体６を用いて隣接する面状体１Ａ同士を付勢させる設計は難しくなるが、この点、着磁構造８であれば簡易である。
【００６２】
また、付勢体６は耐久性が悪くて長期的にその作用を発揮し難いが、この点、着磁構造８であればこの問題点は解消される。
【００６３】
しかも、付勢体６は常に立体状態になろうとする力が作用することになる為、折り畳み重合させても扁平した状態が得にくく、よって、収納体２の立体収納部２ａに対して収納し難く、良好な収納状態が得られない場合があるが、この点、前述した着磁構造８を採用することで、折り畳み重合状態とした際にはこの立体状態になろうとする力は作用しないから、確実に扁平した状態が得られ、よって、納体２の立体収納部２ａに対する収納がスムーズに行えるのは勿論、良好な収納状態が得られることになる。
【００６４】
図９〜１１は正六面体、図１２，１３は四角錐であり、正六面体は、図１１に図示したように折り畳み重合状態から立体状態とした際、面状体１Ａ夫々の縁部１ａ'同士が直交した重合状態となり、面接触が得易い構造であるから、被着磁体８ｂとして金属薄板が採用されており、四角錐は、図１３に図示したように折り畳み重合状態から立体状態とした際、面状体１Ａ夫々の縁部１ａ'同士が傾斜した重合状態となり、面接触が得にくい構造であるから、より強力な着磁効果が得られるよう、被着磁体８ｂとして磁石が採用されている。
【００６５】
また、本実施例では、一の面状体１Ａ（立体１の底面）の内面に磁性体４が設けられているが、この磁石体４が設けられた面状体１Ａの外面には、磁石体４が設けられていることを示す目印９が設けられている。
【００６６】
尚、立体１が例えば正四面体や三角錐体の場合、接合する面状体１Ａの縁部１ａ'夫々には折り畳み重合用折り曲げ部１ａ”が連設され、更に、この折り畳み重合用折り曲げ部１ａ”は接合する面状体１Ａの縁部１ａ'に対して略直角状態で連設される。
【００６７】
その余は実施例１と同様である。
【００６８】
尚、本発明は、実施例１，２に限られるものではなく、各構成要件の具体的構成は適宜設計し得るものである。
【符号の説明】
【００６９】
１  立体
１Ａ  面状体
１ａ  折り曲げ部
１ａ'  縁部
１ａ”  折り畳み重合用折り曲げ部
２  収納体
２ａ  立体収納部
３  表示部
４  磁性体
８  着磁構造
【図１】
2012230353.tif 000003
【図２】
2012230353.tif 000004
【図３】
2012230353.tif 000005
【図４】
2012230353.tif 000006
【図５】
2012230353.tif 000007
【図６】
2012230353.tif 000008
【図７】
2012230353.tif 000009
【図８】
2012230353.tif 000010
【図９】
2012230353.tif 000011
【図１０】
2012230353.tif 000012
【図１１】
2012230353.tif 000013
【図１２】
2012230353.tif 000014
【図１３】
2012230353.tif 000015